(57)【要約】【課題】見た目がよく装着感に優れる人体保護用具２の提供。【解決手段】この人体保護用具２は、緩衝体６と、この緩衝体６が収容されうる収容室８と、この収容室８が取り付けられる装着体１０とを備えている。この収容室８の表面は、この装着体１０の内面と離れている。好ましくは、上記収容室８は、その周方向の両端において、上記装着体１０に取り付けられている。この両端の間において、この収容室８の長さは、この装着体１０の長さよりも短い。好ましくは、上記装着体１０は、裏地を備えている。この裏地の上端は、この装着体１０に隙間なく繋げられている。上記収容室８の上端は、この裏地に隙間なく繋げられている。この収容室８は、この裏地に吊り下げられている。好ましくは、この人体保護用具２は、取付部材をさらに備えている。この取付部材によって、上記収容室は上記装着体に着脱自在に取り付けられる。【選択図】図１
2007105162.tif 000002
【特許請求の範囲】
【請求項１】
緩衝体と、この緩衝体が収容されうる収容室と、この収容室がその内側に取り付けられる装着体とを備えており、
この収容室の表面が、この装着体の内面と離れている人体保護用具。
【請求項２】
上記収容室が、その周方向の両端において、上記装着体に取り付けられており、
この両端の間において、この収容室の長さが、この装着体の長さよりも短い請求項１に記載の人体保護用具。
【請求項３】
上記両端のうち、一方の端が、臀裂相当箇所に配置されている請求項２に記載の人体保護用具。
【請求項４】
上記装着体が、裏地を備えており、
この裏地の上端が、この装着体に隙間なく繋げられており、
上記収容室の上端が、この裏地に隙間なく繋げられており、
この収容室が、この裏地に吊り下げられている請求項１から３のいずれかに記載の人体保護用具。
【請求項５】
取付部材をさらに備えており、
この取付部材によって、上記収容室が上記装着体に着脱自在に取り付けられるように構成されている請求項１から４のいずれかに記載の人体保護用具。
【発明の詳細な説明】
【技術分野】
【０００１】
本発明は、転倒時におけるヒトへの衝撃を緩和する人体保護用具に関する。
【背景技術】
【０００２】
高齢者人口の増加に伴い、この高齢者が転倒して骨折する事故が増えている。特に、大腿骨頸部骨折が、増加の傾向にある。大腿骨頸部骨折の完全治癒には、時間がかかる。大腿骨頸部骨折が原因で、寝たきりとなってしまう事例もある。大腿骨頸部骨折は大きな社会問題となりつつあり、その予防が強く求められている。
【０００３】
大腿骨頸部骨折は、転倒時に大腿骨大転子が地面等に打ち付けられるために発生すると考えられている。そこで、この大腿骨頸部骨折が防止されるために、種々の保護具が提案されている。
【０００４】
特表平９−５０８８２４号公報には、ヒトの大腿骨頸部周りの体型にあうように内向きに凹状の側面を備えたドーム形部材を有するヒッププロテクタが開示されている。このヒッププロテクタの表面全体は、剛性のある発泡熱可塑性材料からなり、ドーム形の硬質なシェルとして形成されている。
【０００５】
特開平９−２６８４０９号公報には、転倒又は衝突による骨折が防護されるために衝撃吸収パッドが用いられた衣類が開示されている。この骨折防護用衣類には、このアクリル系共重合体の発泡体が衝撃吸収パッドとして用いられている。
【０００６】
特開２００３−３００４公報には、転倒及び衝突による打撲、裂傷、骨折等を防護する衝撃吸収パッド付衣類が開示されている。この衝撃吸収パッドには、体表面との接触における安全性が配慮されている。
【０００７】
【特許文献１】特表平９−５０８８２４号公報
【特許文献２】特開平９−２６８４０９号公報
【特許文献３】特開２００３−３００４公報
【発明の開示】
【発明が解決しようとする課題】
【０００８】
上記公報に記載された人体保護用具では、ヒッププロテクタ及び衝撃吸収パッドのような緩衝体は、装着体に密着している。この緩衝体の輪郭がこの装着体に現れるので、この緩衝体がこの人体保護用具の外観を損ねてしまうという問題がある。
【０００９】
オムツが着用されている高齢者においては、人体保護用具はこのオムツの上に装着される。オムツがかさばるので、高齢者はこの人体保護用具の装着に違和感を憶えてしまう。
【００１０】
緩衝体の位置が大転子付近に安定に固定されるために、体が締め付けられるように構成されているスパッツタイプの人体保護用具が用いられる。この人体保護用具による腰部の締め付けを嫌う高齢者は多い。このような人体保護用具では、その着用が敬遠されてしまうという問題がある。
【００１１】
本発明の目的は、見た目がよく装着感に優れる人体保護用具の提供にある。
【課題を解決するための手段】
【００１２】
本発明に係る人体保護用具は、緩衝体と、この緩衝体が収容されうる収容室と、この収容室がその内側に取り付けられる装着体とを備えている。この収容室の表面は、この装着体の内面と離れている。
【００１３】
好ましくは、この人体保護用具では、上記収容室は、その周方向の両端において、上記装着体に取り付けられている。この両端の間において、この収容室の長さは、この装着体の長さよりも短い。
【００１４】
好ましくは、この人体保護用具では、上記両端のうち、一方の端は、臀裂相当箇所に配置されている。
【００１５】
好ましくは、この人体保護用具では、上記装着体は、裏地を備えている。この裏地の上端は、この装着体に隙間なく繋げられている。上記収容室の上端は、この裏地に隙間なく繋げられている。この収容室は、この裏地に吊り下げられている。
【００１６】
好ましくは、この人体保護用具は、取付部材をさらに備えている。この取付部材によって、上記収容室は上記装着体に着脱自在に取り付けられるように構成されている。
【発明の効果】
【００１７】
この人体保護用具では、装着体の内面と緩衝体の表面とが離れているので、緩衝体の輪郭はこの装着体に現れない。この緩衝体がこの人体保護用具の外観を損なうことはない。緩衝体のみが体表面に密着するので、この人体保護用具が装着されたときの違和感は小さい。この人体保護用具は、装着感に優れる。
【発明を実施するための最良の形態】
【００１８】
以下、適宜図面が参照されつつ、好ましい実施形態に基づいて本発明が詳細に説明される。
【００１９】
図１は、本発明の一実施形態に係る人体保護用具２がヒト４に装着されている状態が示された側面図である。この人体保護用具２は、緩衝体６と、収容室８と、装着体１０とを備えている。
【００２０】
装着体１０は、実質的には衣類である。衣類としては、半ズボン、長ズボン、スウェットパンツ及びベルトが例示される。この人体保護用具２では、この装着体１０は半ズボンである。
【００２１】
緩衝体６は、その内部に気泡を有するポリマー成形体である。この緩衝体６は、略平板状である。この緩衝体６は可撓性を有しているので、この人体保護用具２は体の形状に適応させて装着されうる。この緩衝体６の形状、大きさ等の構成は、この人体保護用具２の仕様が考慮されて、適宜決められる。なお、この緩衝体６が、エアークッションとされてもよい。
【００２２】
図２は、図１のII−II線に沿った断面図である。図３は、図２のIII−III線に沿った断面図である。収容室８は、装着体１０の内側にある。この収容室８は、本体１２と挿入口１４とフラップ１６とを備えている。この本体１２は、背面１８と、カバー２０とからなる。この背面１８とカバー２０とは、その両端及び下端において糸２２で縫いつけられている。この本体１２は、袋状である。この背面１８の上端とこのカバー２０の上端との間の隙間が、挿入口１４である。緩衝体６は、この挿入口１４を通じてこの本体１２に収容される。なお、この図２の下側は、ヒト４の背中側である。
【００２３】
フラップ１６は、その上端及び両端において、本体１２に糸２２で縫いつけられている。このフラップ１６は、挿入口１４を覆っている。このため、この本体１２に収容された緩衝体６が、不意にこの本体１２から外に出ることはない。なお、この挿入口１４に、ファスナー、面ファスナー、ボタン等の留め具が用いられてもよい。この収容室８の形状、大きさ等の構成は、人体保護用具２の仕様が考慮されて、適宜決められる。
【００２４】
図２に示されているように、収容室８はヒト４の臀裂の位置に相当する臀裂相当箇所２４の両側に位置している。この収容室８は、臀部２６を覆っている。この人体保護用具２は、２の収容室８を備えている。なお、この人体保護用具２が、臀囲２８に沿って１の収容室を備えてもよい。この人体保護用具２が、３以上の収容室を備えてもよい。
【００２５】
収容室８の一方の端は、糸Ａで装着体１０に取り付けられている。この収容室８の他方の端は、糸Ｂでこの装着体１０に取り付けられている。この人体保護用具２では、この収容室８は、その周方向の両端においてこの装着体１０に取り付けられている。この収容室８の一方の端は、臀裂相当箇所２４に配置されている。この収容室８の他方の端は、ヒト４のヒップの位置に相当するヒップ相当箇所３０に配置されている。この人体保護用具２は、この両端の間において、この収容室８の表面３２の長さがこの装着体１０の内面３４の長さよりも短くなるように構成されている。収容室８の表面３２は、装着体１０の内面３４と離れている。この収容室８と装着体１０との間には、隙間３６が形成されている。このため、緩衝体６の輪郭はこの装着体１０に現れない。この緩衝体６がこの人体保護用具２の外観を損なうことはない。この人体保護用具２では、装着体１０の全体ではなく緩衝体６が収容された収容室８のみが体表面３８に密着するので、この人体保護用具２が装着されたときの違和感は小さい。この人体保護用具２は、装着感に優れる。
【００２６】
前述したように、この人体保護用具２では、収容室８と装着体１０とは、糸Ａ及び糸Ｂで縫いつけられている。この収容室８の位置がずれることはない。従って、この収容室８に収容される緩衝体６の位置はずれない。この人体保護用具２では、緩衝体６の位置が安定に保持される。
【００２７】
この人体保護用具２が、取付部材を備えてもよい。この取付部材により、収容室８が着脱自在に取り付けられる。この取付部材としては、ファスナー、面ファスナー及びボタンが例示される。緩衝体６の位置ずれ防止の観点から、この収容室８と装着体１０との取り付けには、ファスナー及びボタンが用いられるのがより好ましい。特に好ましくは、ボタンである。なお、緩衝体６が、直接装着体１０に取り付けられてもよい。この場合、この緩衝体６の表面が装着体１０の内面３４と離れるように、この緩衝体６はその周方向の両端においてこの装着体１０に取り付けられる。この緩衝体６がこの装着体１０に糸で縫いつけられてもよい。この緩衝体６と装着体１０との取り付けに、ファスナー、面ファスナー、ボタン等の留め具が用いられてもよい。
【００２８】
この人体保護用具２は、装着されたときの見た目がよく、装着感に優れるので、衣服としても利用されうる。オムツの装着が余儀なくされた高齢者においても、この人体保護用具２はオムツの上から装着されうる。
【００２９】
この人体保護用具２では、緩衝体６の基材ポリマーとして、合成樹脂又はゴムが用いられる。合成樹脂の材質としては、ポリウレタン、ポリエステル、ポリオレフィン、ポリスチレン、ポリ塩化ビニル、エチレン−酢酸ビニル共重合体、シリコーン及び各種熱可塑性エラストマーが例示される。ゴムの材質としては、天然ゴム、ポリイソプレン、ポリブタジエン、ブタジエン−スチレン共重合体、アクリロニトリル−ブタジエン共重合体及びエチレン−プロピレン−ジエン共重合体が例示される。加工性の観点から、ポリウレタンが好ましい。エステル系ポリウレタン及びエーテル系ポリウレタンのいずれも用いられうるが、形状復元性に優れたエーテル系ポリウレタンが、より好ましい。
【００３０】
緩衝体６の内部にある気泡は、化学的又は物理的な処理により得られる。具体的な方法としては、化学反応途中に発生する揮発性ガスが利用される方法、発泡剤が用いられる方法、攪拌時に泡立てさせる方法等が挙げられる。この緩衝体６では、この気泡は独立気泡とされてもよい。この気泡が連続気泡とされてもよい。
【００３１】
図４は、本発明の他の実施形態に係る人体保護用具４０がヒト４に装着されている状態が示された側面図である。この人体保護用具４０は、緩衝体４２と、この緩衝体４２が収容されうる収容室４４と、この収容室４４が取り付けられる装着体４６とを備えている。この人体保護用具４０では、この装着体４６以外の構成は、図１の人体保護用具２と同一である。
【００３２】
図５は、図４のＶ−Ｖ線に沿った断面図である。この図５の下側は、ヒト４の背中側である。図６は、図５のVI−VI線に沿った断面図である。この人体保護用具４０では、装着体４６は裏地４８を備えている。収容室４４は、この裏地４８の下側に位置している。この収容室４４は、本体５０と挿入口５２とフラップ５４とを備えている。この本体５０は、背面５６とカバー５８とからなる。この人体保護用具４０では、この裏地４８と背面５６とが一体的に形成されている。この収容室４４は、その上端６０において隙間なくこの裏地４８と繋げられている。この裏地４８と背面５６とが糸６４で隙間なく縫いつけられることにより、この裏地４８と収容室４４とが繋げられてもよい。なお、この裏地４８とフラップ５４とが、一体的に形成されてもよい。この裏地４８とフラップ５４とが、糸６４で隙間なく縫いつけられてもよい。
【００３３】
図５に示されているように、裏地４８は、この装着体４６の内側において、臀囲２８に沿って配置されている。この裏地４８の周方向の両端は、ヒップ相当箇所３０においてこの装着体４６に糸６４で縫いつけられている。この裏地４８の中央は、臀裂相当箇所２４においてこの装着体４６に糸６４で縫いつけられている。
【００３４】
図６に示されているように、裏地４８は装着体４６の上端６６で折り返されている。この裏地４８の上端６８は、糸６４が用いられることにより、装着体４６に隙間なく繋げられている。前述したように、この裏地４８の下側において、収容室４４の上端は裏地４８に隙間なく繋げられている。この収容室４４は、この裏地４８に吊り下げられている。
【００３５】
この人体保護用具４０では、収容室４４の表面７０は装着体４６の内面７２と離れている。この収容室４４と装着体４６との間には、隙間７４が形成されている。裏地４８は、この隙間７４を覆っている。このため、ヒト４がこの人体保護用具４０を装着する時に、この隙間７４に誤って足が入れられることはない。この人体保護用具４０は、確実にヒト４に装着される。この人体保護用具４０の装着は容易である。
【００３６】
前述したように、収容室４４の表面７０は装着体４６の内面７２と離れており、この収容室４４と装着体４６との間には隙間７４が形成されている。このため、この人体保護用具４０では、緩衝体４２の輪郭がこの装着体４６に現れることはない。この緩衝体４２がこの人体保護用具４０の外観を損なうことはない。この人体保護用具４０では、装着体４６の全体ではなく緩衝体４２が収容された収容室４４のみが体表面３８に密着するので、この人体保護用具４０が装着されたときの違和感は小さい。この人体保護用具４０は、装着感に優れる。
【００３７】
この人体保護用具４０が、取付部材を備えてもよい。この取付部材により、収容室４４が着脱自在に取り付けられる。この取付部材としては、ファスナー、面ファスナー及びボタンが例示される。収容室４４の位置ずれ防止の観点から、ファスナー及びボタンが用いられるのがより好ましい。特に好ましくは、ボタンである。
【００３８】
この人体保護用具４０は、装着されたときの見た目がよく、装着感に優れるので、衣服としても利用されうる。オムツの装着が余儀なくされた高齢者においても、この人体保護用具４０はオムツの上から装着されうる。この人体保護用具４０の装着は容易であるので、高齢者は抵抗なくこの人体保護用具４０を利用できる。
【産業上の利用可能性】
【００３９】
本発明に係る人体保護用具は、人体の膝、肘等の防護にも用いられうる。
【図面の簡単な説明】
【００４０】
【図１】図１は、本発明の一実施形態に係る人体保護用具がヒトに装着されている状態が示された側面図である。
【図２】図２は、図１のII−II線に沿った断面図である。
【図３】図３は、図２のIII−III線に沿った断面図である。
【図４】図４は、本発明の他の実施形態に係る人体保護用具がヒトに装着されている状態が示された側面図である。
【図５】図５は、図４のＶ−Ｖ線に沿った断面図である。
【図６】図６は、図５のVI−VI線に沿った断面図である。
【符号の説明】
【００４１】
２、４０・・・人体保護用具
４・・・ヒト
６、４２・・・緩衝体
８、４４・・・収容室
１０、４６・・・装着体
１２、５０・・・本体
１４、５２・・・挿入口
１６、５４・・・フラップ
１８、５６・・・背面
２０、５８・・・カバー
２２、６４・・・糸
２４・・・臀裂相当箇所
２６・・・臀部
２８・・・臀囲
３０・・・ヒップ相当箇所
３２、７０・・・表面
３４、７２・・・内面
３６、７４・・・隙間
３８・・・体表面
４８・・・裏地
６０、６６、６８・・・上端
【図１】
2007105162.tif 000003
【図２】
2007105162.tif 000004
【図３】
2007105162.tif 000005
【図４】
2007105162.tif 000006
【図５】
2007105162.tif 000007
【図６】
2007105162.tif 000008